(57)【要約】【課題】空調空間の温度・湿度についての情報が必要のない場合であっても使用者に対して供給されるという問題がある。【解決手段】空調管理システム１は、空気調和機２と、空調管理サーバ３と、端末装置４とを備える。空気調和機２は、人検知センサ２０を有している。空調管理サーバ３は、空調空間の温度および湿度についての情報を記憶する空調空間情報記憶部５１を有している。空調管理サーバ３は、空調空間の温度および湿度が所定範囲内であって、かつ、使用者が空調空間にいる場合に、空調空間の温度および湿度が所定範囲内であることを示す情報を端末装置４に供給する。【選択図】図１
2015014409.tif 000002
【特許請求の範囲】
【請求項１】
空調空間の温度および湿度の少なくとも一方についての情報を記憶する記憶手段を有する管理装置と、
空調空間にいる人を検知する人検知手段を有する空気調和機と、
前記管理装置から情報が供給され得る端末装置とを備え、
前記管理装置は、空調空間の温度および湿度の少なくとも一方が所定範囲内であって、かつ、前記人検知手段によって人が検知された場合に、空調空間の温度および湿度の少なくとも一方が所定範囲内であることを示す空調空間情報を前記端末装置に供給することを特徴とする空調管理システム。
【請求項２】
前記端末装置は、前記空気調和機に対して運転変更命令を供給できることを特徴とする請求項１に記載の空調管理システム。
【請求項３】
前記端末装置は、前記運転変更命令に基づく前記空気調和機の運転によって空調空間の温度および湿度の少なくとも一方が所定範囲内である状態が解消できない場合は、空調空間の温度および湿度の少なくとも一方が所定範囲内である状態が解消できないことを示す情報を報知する報知手段を有していることを特徴とする請求項２に記載の空調管理システム。
【請求項４】
前記管理装置は、空調空間の温度および湿度の少なくとも一方が所定範囲内である状態を解消するための前記空気調和機についての運転設定情報を前記端末装置に供給することを特徴とする請求項２または３に記載の空調管理システム。
【請求項５】
前記端末装置は、前記管理装置から前記空調空間情報が供給された場合に、所定時間が経過した後で前記空調空間情報が再度供給されるように設定できることを特徴とする請求項１−４のいずれかに記載の空調管理システム。
【請求項６】
前記管理装置は、所定時間が経過したときに、空調空間の温度および湿度の少なくとも一方が所定範囲内でない場合、空調空間の温度および湿度の少なくとも一方が所定範囲内でないことを示す情報を前記端末装置に供給することを特徴とする請求項５に記載の空調管理システム。
【請求項７】
コンピュータを、
空調空間の温度および湿度の少なくとも一方についての情報を記憶する記憶手段に記憶された空調空間の温度および湿度の少なくとも一方が所定範囲内であって、かつ、空調空間にいる人を検知する人検知手段によって人が検知された場合に、空調空間の温度および湿度の少なくとも一方が所定範囲内であることを示す空調空間情報を端末装置に供給する情報供給手段として機能させることを特徴とする空調管理プログラム。
【発明の詳細な説明】
【技術分野】
【０００１】
本発明は、空調空間の温度・湿度を管理する空調管理システムおよび空調管理プログラムに関する。
【背景技術】
【０００２】
従来の空気調和機には、例えば熱中症等になる室温になった場合に、室温を低下させる強制運転を自動的に開始するものがある。
【先行技術文献】
【特許文献】
【０００３】
【特許文献１】特開２０１２−２３７４８１
【発明の概要】
【発明が解決しようとする課題】
【０００４】
従来の空気調和機のように、空調空間の温度・湿度が所定範囲になったときに強制運転を自動的に開始するのでなく、空調空間の温度・湿度についての情報を、使用者（ユーザ）の端末装置に供給して使用者に知らせることが考えられる。したがって、使用者は、空調空間の温度・湿度が、空調空間にいる人が熱中症等になるような状態であることを知ることができるので、使用者は、例えば端末装置から空調空間にある空気調和機に運転開始命令を供給することによって空気調和機の運転を開始できる。しかし、空調空間の温度・湿度が、空調空間にいる人が熱中症等になるような状態になった場合でも、空調空間に使用者がいないときは、空調空間の温度・湿度についての情報を使用者に供給する必要がないにもかかわらず、空調空間の温度・湿度についての情報が端末装置に供給されることになる。
【０００５】
そこで、本発明の目的は、空調空間の温度・湿度についての情報を供給する必要のない場合に、端末装置に対して情報が供給されるのを抑制できる空調管理システムおよび空調管理プログラムを提供することである。
【課題を解決するための手段】
【０００６】
第１の発明にかかる空調管理システムは、空調空間の温度および湿度の少なくとも一方についての情報を記憶する記憶手段を有する管理装置と、空調空間にいる人を検知する人検知手段を有する空気調和機と、前記管理装置から情報が供給され得る端末装置とを備え、前記管理装置は、空調空間の温度および湿度の少なくとも一方が所定範囲内であって、かつ、前記人検知手段によって人が検知された場合に、空調空間情報を前記端末装置に供給することを特徴とする。
【０００７】
第７の発明にかかる空調管理プログラムは、コンピュータを、空調空間の温度および湿度の少なくとも一方についての情報を記憶する記憶手段に記憶された空調空間の温度および湿度の少なくとも一方が所定範囲内であって、かつ、空調空間にいる人を検知する人検知手段によって人が検知された場合に、空調空間の温度および湿度の少なくとも一方が所定範囲内であることを示す空調空間情報を端末装置に供給する情報供給手段として機能させることを特徴とする。
【０００８】
この空調管理システムおよび空調管理プログラムでは、空調空間の温度・湿度が所定範囲内であるときに、そのことを示す空調空間情報が、空調空間に使用者がいる場合にだけ、端末装置に供給される。したがって、空調空間の温度・湿度が、空調空間にいる人が熱中症等になるような状態である場合であっても、空調空間に使用者がいないときは、空調空間情報が端末装置に対して供給されない。よって、空調空間の温度・湿度についての情報を供給する必要のない場合に、空調空間情報が端末装置に対して供給されるのを抑制できる
【０００９】
第２の発明にかかる空調管理システムは、第１の発明にかかる空調管理システムにおいて、前記端末装置は、前記空気調和機に対して運転変更命令を供給できることを特徴とする。
【００１０】
この空調管理システムでは、空調空間情報を確認した使用者は、空調空間の温度・湿度が所定範囲外になるように空気調和機の運転を変更できる。したがって、空調空間にいる使用者が熱中症等になることを防止できる。
【００１１】
第３の発明にかかる空調管理システムは、第２の発明にかかる空調管理システムにおいて、前記端末装置は、前記運転変更命令に基づく前記空気調和機の運転によって空調空間の温度および湿度の少なくとも一方が所定範囲内である状態が解消できない場合は、空調空間の温度および湿度の少なくとも一方が所定範囲内である状態が解消できないことを報知する報知手段を有していることを特徴とする。
【００１２】
この空調管理システムでは、使用者の運転変更命令に基づく空気調和機の運転によって空調空間の温度・湿度が所定範囲内である状態が解消できない場合は、そのことが使用者に報知されるので、使用者は、それを考慮して空気調和機の運転を変更できる。
【００１３】
第４の発明にかかる空調管理システムは、第２または第３の発明にかかる空調管理システムにおいて、前記管理装置は、空調空間の温度および湿度の少なくとも一方が所定範囲である状態を解消するための前記空気調和機についての運転設定情報を前記端末装置に供給することを特徴とする。
【００１４】
この空調管理システムでは、空調空間情報を確認した使用者は、管理装置から供給された空気調和機についての運転設定情報に基づいて、空調空間の温度・湿度が所定範囲内である状態が解消されるように、空気調和機の運転を容易に変更できる。
【００１５】
第５の発明にかかる空調管理システムは、第１−第４のいずれかの発明にかかる空調管理システムにおいて、前記端末装置は、前記管理装置から前記空調空間情報が供給された場合に、所定時間が経過した後で前記空調空間情報が再度供給されるように設定できることを特徴とする。
【００１６】
この空調管理システムでは、所定時間が経過した後で、再度、空調空間情報を使用者に供給できる。したがって、使用者が空調空間情報を見逃した場合に、空調空間情報が再度供給されることで、使用者が空調空間情報を見逃すことを抑制することができる。
【００１７】
第６の発明にかかる空調管理システムは、第５の発明にかかる空調管理システムにおいて、前記管理装置は、所定時間が経過したときに、空調空間の温度および湿度の少なくとも一方が所定範囲内でない場合、空調空間の温度および湿度の少なくとも一方が所定範囲内でないことを示す情報を前記端末装置に供給することを特徴とする。
【００１８】
この空調管理システムでは、所定時間が経過した後で空調空間情報が再度供給されるように使用者が設定した場合において、所定時間が経過したときに、空調空間の温度・湿度が所定範囲内でない場合は、そのことを使用者に知らせることができる。
【発明の効果】
【００１９】
以上の説明に述べたように、本発明によれば、以下の効果が得られる。
【００２０】
第１および第７の発明では、空調空間の温度・湿度が所定範囲内であるときに、そのことを示す空調空間情報が、空調空間に使用者がいる場合にだけ、端末装置に供給される。したがって、空調空間の温度・湿度が、空調空間にいる人が熱中症等になるような状態である場合であっても、空調空間に使用者がいないときは、空調空間情報が端末装置に対して供給されない。よって、空調空間の温度・湿度についての情報を供給する必要のない場合に、空調空間情報が端末装置に対して供給されるのを抑制できる
【００２１】
第２の発明では、空調空間情報を確認した使用者は、空調空間の温度・湿度が所定範囲外になるように空気調和機の運転を変更できる。したがって、空調空間にいる使用者が熱中症等になることを防止できる。
【００２２】
第３の発明では、使用者の運転変更命令に基づく空気調和機の運転によって空調空間の温度・湿度が所定範囲内である状態が解消できない場合は、そのことが使用者に報知されるので、使用者は、それを考慮して空気調和機の運転を変更できる。
【００２３】
第４の発明では、空調空間情報を確認した使用者は、管理装置から供給された空気調和機についての運転設定情報に基づいて、空調空間の温度・湿度が所定範囲内である状態が解消されるように、空気調和機の運転を容易に変更できる。
【００２４】
第５の発明では、所定時間が経過した後で、再度、空調空間情報を使用者に供給できる。したがって、使用者が空調空間情報を見逃した場合に、空調空間情報が再度供給されることで、使用者が空調空間情報を見逃すことを抑制することができる。
【００２５】
第６の発明では、所定時間が経過した後で空調空間情報が再度供給されるように使用者が設定した場合において、所定時間が経過したときに、空調空間の温度・湿度が所定範囲内でない場合は、そのことを使用者に知らせることができる。
【図面の簡単な説明】
【００２６】
【図１】本発明の第１実施形態に係る空調管理システムの構成を示す図である。
【図２】第１実施形態における判定図である。
【図３】第１実施形態に係る空調管理システムの動作を説明する図である。
【図４】本発明の第１実施形態における端末装置の表示画面の一例を示す図である。
【図５】本発明の第２実施形態に係る空調管理システムの構成を示す図である。
【図６】第２実施形態に係る空調管理システムの動作を説明する図である。
【図７】本発明の変形例における判定図である。
【発明を実施するための形態】
【００２７】
〔第１実施形態〕
以下、本発明の第１実施形態に係る空調管理システム１について説明する。
【００２８】
＜空調管理システム１の全体構成＞
図１に示すように、本実施形態の空調管理システム１は、空調空間の温度・湿度を管理するものであって、室内に設置される室内機２ａおよび室外に設置される室外機を有する空気調和機２と、空調管理サーバ３と、空調管理サーバ３との間でそれぞれ情報の通信を行う複数の端末装置４を備えている。
【００２９】
空気調和機２は、自動運転、冷房運転、暖房運転、除湿運転、加湿運転、空気清浄運転及び送風運転のいずれかの運転が可能であって、リモコンや端末装置４によって、いずれかの運転を選択して運転開始操作や運転停止操作を行ったり、室内温度の設定温度を設定することができる。
【００３０】
室内機２ａは、情報の通信を行う通信部を有しており、空調管理サーバ３に情報を供給するとともに、端末装置４から供給された情報を受けることができる。また、図１に示すように、室内機２ａには、空調空間にいる人を検知する人検知センサ２０と、室内温度を検出する室内温度センサ２１と、室内湿度を検出する室内湿度センサ２２とが配置される。したがって、空気調和機２では、例えば、人検知センサ２０で空調空間にいる人を検知したことを空調管理サーバ３に対して供給したり、室内温度センサ２１や室内湿度センサ２２で検出した温度や湿度を空調管理サーバ３に対して供給したり、端末装置４から供給された運転開始命令に基づいて運転が制御される。本実施形態では、人検知センサ２０で検知された人検知情報や、室内温度センサ２１で検出された室内温度や、室内湿度センサ２２で検出された室内湿度は、空調管理サーバ３に供給されるように構成される。
【００３１】
空調管理サーバ３は、制御部５０を有している。制御部５０には、空調管理サーバ３に係る各種動作の制御プログラムやデータなどが格納されたＲＯＭ、空調管理サーバ３の各部の動作を制御する信号を生成するために各種演算を実行するＣＰＵ、各種設定やＣＰＵでの演算結果などのデータを一時保管するＲＡＭなどの部材が含まれている。これら各種部材およびソフトウェアによって、図１に示すように、空調空間情報記憶部５１と、判定部５２と、使用者判定部５３と、運転設定決定部５４と、情報供給部５５とが形成されている。また、制御部５０は、通信部５６に接続されている。本実施形態では、空調管理サーバ３が、本発明における管理装置に対応する。
【００３２】
空調空間情報記憶部５１は、空気調和機２の室内機２ａから供給された空調空間の温度および湿度（室内温度センサ２１で検知された室内温度と、室内湿度センサ２２で検知された室内湿度）についての情報（空調空間情報）を記憶する。本実施形態では、空調空間情報は、空気調和機２の室内機２ａから供給されるので、空調空間情報記憶部５１に記憶された情報が更新される。
【００３３】
判定部５２は、空気調和機２の室内機２ａから供給された空調空間情報に基づいて、空調空間情報を端末装置４に供給するか否かを判定する。詳しくは、判定部５２は、室内温度や室内湿度が判定図の情報供給ゾーンにある場合に、空調空間が冷房運転（または除湿運転）を開始する必要がある状態であるとして、空調空間情報を端末装置４に供給すると判定する。
【００３４】
使用者判定部５３は、空調空間にある空気調和機２の室内機２ａから、人検知センサ２０で空調空間にいる人を検知したことを示す人検知情報が供給された場合に、空調空間に使用者がいると判定する。
【００３５】
運転設定決定部５４は、空調空間の温度・湿度が情報供給ゾーンにある状態を解消するための空気調和機２の運転設定を決定する。本実施形態では、運転設定決定部５４は、例えば、空調空間の温度・湿度が情報供給ゾーンにある状態を解消するために、空気調和機２の冷房運転を行った方がよいのか、または、除湿運転を行った方がよいのかを決定する。詳しくは、運転設定決定部５４は、空調空間の温度・湿度が情報供給ゾーンにある状態であって、かつ、空調空間の温度が２８度以上である場合に、冷房運転に決定する。一方、運転設定決定部５４は、空調空間の温度・湿度が情報供給ゾーンにある状態であって、かつ、空調空間の温度が２８度より低い場合に、除湿運転に決定する。また、運転設定決定部５４で決定された運転設定についての情報は、運転設定決定部５４に記憶される。
【００３６】
情報供給部５５は、判定部５２において空調空間情報を端末装置４に供給する（室内温度や室内湿度が判定図の情報供給ゾーンにある）と判定され、かつ、使用者判定部５３において使用者が空調空間にいると判定された場合に、空調空間情報を端末装置４に供給する。また、情報供給部５５は、運転設定決定部５４で決定された運転設定についての運転設定情報（例えば、空気調和機２の冷房運転を行った方がよいのか、または、除湿運転を行った方がよいのか）を端末装置４に供給する。本実施形態では、情報供給部５５は、空調空間情報を端末装置４に供給するときに、空調空間情報および運転設定情報を複数の端末装置４に同時に供給する。
【００３７】
端末装置４は、例えばスマートフォンなどの液晶端末であって、表示画面１０と、運転設定確認部１２とを有している。端末装置４では、例えば、空調管理サーバ３から空調空間情報が供給された場合に、その空調空間情報を表示画面１０に表示する。したがって、端末装置４の使用者は、表示画面１０に表示された空調空間情報を見て、空調空間の温度・湿度が所定範囲内であることを知ることができる。
【００３８】
また、端末装置４では、使用者が端末装置４に対して空気調和機２の室内機２ａの運転を変更する操作を行った場合に、空気調和機２の室内機２ａに対して運転変更命令（運転を開始する運転開始命令や、設定温度を変更する設定温度変更命令を含む）を供給する。本実施形態では、複数の端末装置４のいずれも、空気調和機２の室内機２ａに対して運転変更命令を供給できるものである。
【００３９】
端末装置４の運転設定確認部１２は、空調管理サーバ３から運転設定情報が供給された後で、空気調和機２の室内機２ａに対して運転変更命令を供給する操作が行われたときに、その運転変更命令に基づく運転が、空調管理サーバ３から供給された運転設定情報を満たすものであるかを確認する。運転設定確認部１２において、運転変更命令に基づく運転が、空調管理サーバ３から供給された運転設定情報を満たすものでないと判断された場合には、その運転変更命令に基づく運転では、室内温度や室内湿度が判定図の情報供給ゾーンにある状態が解消されないので、そのことが、空気調和機２の室内機２ａに対して運転変更命令を供給する前に、表示画面１０に表示されて使用者に報知される。したがって、使用者は、その運転変更命令を空気調和機２の室内機２ａに対して供給する操作を行うか、または、空調管理サーバ３から供給された運転設定情報を満たすように運転変更命令を変更するかを選択することができる。
【００４０】
本実施形態では、判定部５２において空調空間情報を端末装置４に供給するか否かを判定する場合に、室内温度及び室内湿度についての判定図が使用される。判定図は、図２に示すように、縦軸は室内湿度（相対湿度）を示し、横軸は室内温度を示している。
【００４１】
図２は、空調空間情報を端末装置に供給するかを判定する判定図の一例であるが、この判定図には、情報供給ゾーンが設定される。情報供給ゾーンは、室内が高温状態や高湿状態であって、室内温度や室内湿度を低下させる必要がある領域である。したがって、情報供給ゾーンでない領域は、室内温度や室内湿度を低下させる必要がない領域であると考えられる。
【００４２】
図２の判定図において、Ａ１点〜Ａ３点は、下記の室内温度及び室内湿度である点を示す。
・Ａ１点：室内温度が２７度であり、室内湿度が１００％である点
・Ａ２点：室内温度が２７度であり、室内湿度が７０〜８０％の間のｙ１である点
・Ａ３点：室内温度が３３度であり、室内湿度が３０％である点
【００４３】
図２の判定図では、Ａ１点とＡ２点とＡ３点を接続した線Ａの右上の領域（室内温度及び室内湿度が線Ａ上にある場合を含む）である情報供給ゾーンが図示されている。したがって、室内温度及び室内湿度が情報供給ゾーンにある場合には、室内温度や室内湿度を低下させる必要があるとして、空調空間情報が端末装置４に供給される。
【００４４】
次に、空調管理システム１の動作について、図３−図５を参照しつつ説明する。
【００４５】
まず、判定部５２において、室内温度センサ２１で検知される室内温度や室内湿度センサ２２で検知される室内湿度に基づいて、空調空間情報を端末装置４に供給するか否か（室内温度や室内湿度が判定図の情報供給ゾーンにあるか否か）を判定する（ステップＳ１）。
【００４６】
ステップＳ１において、室内温度や室内湿度が判定図の情報供給ゾーンにあると判定した場合には（ステップＳ１：ＹＥＳ）、使用者判定部５３において、使用者が空調空間にいるか否かを判定する（ステップＳ２）。ステップＳ２において、使用者が空調空間にいると判定した場合には（ステップＳ２：ＹＥＳ）、運転設定決定部５４において、空調空間の温度・湿度が情報供給ゾーンにある状態を解消するための空気調和機２の運転設定を決定する（ステップＳ３）。
【００４７】
その後、空調空間情報および運転設定情報が空調管理サーバ３から端末装置４に供給される（ステップＳ４）。すると、空調空間情報および運転設定情報が供給された端末装置４の表示画面１０には、図４に示すように、室内温度や室内湿度が判定図の情報供給ゾーンにあると判定された空調空間がどの部屋であるか、どのような運転をした場合に室内温度や室内湿度が判定図の情報供給ゾーンでなくなるか等が表示される。すると、その端末装置４の使用者には、空調空間情報によって室内温度や室内湿度が判定図の情報供給ゾーンにあることを知らされるので、使用者は、端末装置４に対して、空調空間にある空気調和機に対して運転開始命令を供給する操作を行う（ステップＳ５）。本実施形態では、空気調和機に対して供給される運転開始命令には、冷房運転を開始する命令や、冷房運転の設定温度などが含まれる。なお、空調空間にある空気調和機が運転されている場合は、設定温度を変更する運転変更命令が空気調和機に対して供給される場合があるが、ここでは、室内温度や室内湿度が判定図の情報供給ゾーンになったときに、空気調和機が運転されておらず停止状態であるとして説明する。
【００４８】
ステップＳ５において、使用者によって、空調空間にある空気調和機に対して運転開始命令を供給する操作が行われると、端末装置４において、その運転開始操作が、空調管理サーバ３から供給された運転設定情報を満たすか否かを判定する（ステップＳ６）。本実施形態では、運転開始操作が、設定温度が運転設定情報に含まれる設定温度以下である冷房運転を開始する操作であるか否かを判定する。
【００４９】
ステップＳ６において、運転開始操作が、空調管理サーバ３から供給された運転設定情報を満たすと判定された場合には（ステップＳ６：ＹＥＳ）、使用者によって操作された運転開始操作に対応した運転変更命令が空気調和機に対して供給される（ステップＳ７）。すると、空調空間にある空気調和機が、端末装置４から供給された運転開始命令に基づいた運転を開始する（ステップＳ８）。
【００５０】
一方、ステップＳ５において、運転開始操作が、空調管理サーバ３から供給された運転設定情報を満たすと判定されない場合には（ステップＳ６：ＮＯ）、そのことが端末装置４の表示画面１０に表示されるので、使用者は、空調空間にある空気調和機に対して供給する運転開始命令を変更する（ステップＳ９）。その後、ステップＳ６を繰り返す。
【００５１】
＜本実施形態の空調管理システムの特徴＞
本実施形態の空調管理システム１では、空調空間の温度・湿度が情報供給ゾーン内であるときに、そのことを示す空調空間情報が、空調空間に使用者がいる場合にだけ、端末装置４に供給される。したがって、空調空間の温度・湿度が、空調空間にいる人が熱中症等になるような状態である場合であっても、空調空間に使用者がいないときは、空調空間情報が端末装置４に対して供給されない。よって、空調空間の温度・湿度についての情報を供給する必要のない場合に、空調空間情報が端末装置４に対して供給されるのを抑制できる。
【００５２】
本実施形態の空調管理システム１では、端末装置４が空調空間にある空気調和機に対して運転変更命令を供給できるものであるので、空調空間情報を確認した使用者は、空調空間の温度・湿度が情報供給ゾーン外になるように空気調和機の運転を変更できる。したがって、空調空間にいる使用者が熱中症等になることを防止できる。
【００５３】
本実施形態の空調管理システム１では、使用者の運転変更命令に基づく空気調和機２の運転によって空調空間の温度・湿度が情報供給ゾーン内である状態が解消できない場合は、そのことが使用者に報知されるので、使用者は、それを考慮して空気調和機２の運転を変更できる。
【００５４】
本実施形態の空調管理システム１では、空調空間情報を確認した使用者は、空調管理サーバ３から供給された空気調和機２についての運転設定情報に基づいて、空調空間の温度・湿度が情報供給ゾーン内である状態が解消されるように、空気調和機２の運転を容易に変更できる。
【００５５】
〔第２実施形態〕
次に、本発明の第２実施形態に係る空調管理システム１０１について説明する。
【００５６】
本実施形態に係る空調管理システム１０１が、第１実施形態に係る空調管理システム１と異なる点は、本実施形態では、空調管理サーバ３から空調空間情報が端末装置４に供給された後、所定時間が経過したときに空調空間情報が再度供給されるように設定できる点である。その他の構成は、第１実施形態に係る空気調和機１と同一であるので、その説明を省略する。
【００５７】
図５に示すように、空調管理システム１０１の制御部１５０は、空調空間情報記憶部５１と、判定部５２と、使用者判定部５３と、再供給命令検知部１５３と、タイマー１５４と、情報供給部５５とが形成されている。また、制御部１５０は、通信部５６に接続されている。
【００５８】
端末装置４は、例えばスマートフォンなどの液晶端末であって、表示画面１０を有している。端末装置４では、空調管理サーバ３から空調空間情報が供給された場合に、所定時間が経過した後で空調空間情報が再度供給されるように設定できる。使用者によって、端末装置４において所定時間が経過した後で空調空間情報が再度供給されるように設定された場合は、その再供給命令が空調管理サーバ３に供給される。
【００５９】
再供給命令検知部１５３は、端末装置４から空調管理サーバ３に再供給命令が供給された場合に、その再供給命令を検知する。すると、タイマー１５４によって再供給命令を検知したときからの時間が計測される。空調管理サーバ３では、再供給命令を検知したときから所定時間が経過したときに、再度、判定部５２および使用者判定部５３において判定して、室内温度や室内湿度が判定図の情報供給ゾーンにあり、かつ、使用者が空調空間にいる場合、情報供給部５５は、再度、空調空間情報を端末装置４に供給する。
【００６０】
次に、空調管理システム１０１の動作について、図６を参照しつつ説明する。
【００６１】
まず、判定部５２において、室内温度センサ２１で検知される室内温度や室内湿度センサ２２で検知される室内湿度に基づいて、空調空間情報を端末装置４に供給するか否か（室内温度や室内湿度が判定図の情報供給ゾーンにあるか否か）を判定する（ステップＳ１０１）。
【００６２】
ステップＳ１０１において、室内温度や室内湿度が判定図の情報供給ゾーンにあると判定した場合には（ステップＳ１０１：ＹＥＳ）、使用者判定部５３において、使用者が空調空間にいるか否かを判定する（ステップＳ１０２）。ステップＳ１０２において、使用者が空調空間にいると判定した場合には（ステップＳ１０２：ＹＥＳ）、空調空間情報が空調管理サーバ３から端末装置４に供給される（ステップＳ１０３）。
【００６３】
その後、使用者によって、端末装置４において所定時間が経過した後で空調空間情報が再度供給されるように設定された場合は、その再供給命令が空調管理サーバ３に供給される（ステップＳ１０４）。空調管理サーバ３において再供給命令を検知した後、所定時間が経過したか否かを判定する（ステップＳ１０５）。空調管理サーバ３において再供給命令を検知した後、所定時間が経過した場合には（ステップＳ１０５：ＹＥＳ）、判定部５２において、再度、室内温度や室内湿度が判定図において情報供給ゾーンにあるか否かを判定する（ステップＳ１０６）。
【００６４】
ステップＳ１０６において、室内温度や室内湿度が判定図の情報供給ゾーンにあると判定した場合には（ステップＳ１０６：ＹＥＳ）、再度、空調空間情報が空調管理サーバ３から端末装置４に供給される（ステップＳ１０７）。その後、使用者によって、空調空間にある空気調和機に対して運転開始命令が供給される（ステップＳ１０８）。すると、空調空間にある空気調和機が、端末装置４から供給された運転開始命令に基づいた運転を開始する（ステップＳ１０９）。
【００６５】
一方、ステップＳ１０６において、室内温度や室内湿度が判定図の情報供給ゾーンにないと判定した場合には（ステップＳ１０６：ＮＯ）、空調管理サーバ３において再供給命令を検知した後、所定時間が経過して、室内温度や室内湿度が判定図の情報供給ゾーンでなくなったことを示す解除情報が端末装置４に供給される（ステップＳ１１０）。端末装置４に供給された解除情報は表示画面１０に表示されて使用者に知らされる。
【００６６】
＜本実施形態の空調管理システムの特徴＞
本実施形態の空調管理システム１０１では、空調空間の温度・湿度が情報供給ゾーン内であるときに、そのことを示す空調空間情報が、空調空間に使用者がいる場合にだけ、端末装置４に供給される。したがって、空調空間の温度・湿度が、空調空間にいる人が熱中症等になるような状態である場合であっても、空調空間に使用者がいないときは、空調空間情報が端末装置４に対して供給されない。よって、空調空間の温度・湿度についての情報を供給する必要のない場合に、空調空間情報が端末装置４に対して供給されるのを抑制できる。
【００６７】
本実施形態の空調管理システム１０１では、端末装置４が空調空間にある空気調和機に対して運転変更命令を供給できるものであるので、空調空間情報を確認した使用者は、空調空間の温度・湿度が情報供給ゾーン外になるように空気調和機の運転を変更できる。したがって、空調空間にいる使用者が熱中症等になることを防止できる。
【００６８】
本実施形態の空調管理システム１０１では、端末装置において、空調管理サーバ３から空調空間情報が供給された場合に、所定時間が経過した後で空調空間情報が再度供給されるように設定することによって、所定時間が経過した後で、再度、空調空間情報を使用者に供給できる。したがって、使用者が空調空間情報を見逃した場合に、空調空間情報が再度供給されることで、使用者が空調空間情報を見逃すことを抑制することができる。
【００６９】
本実施形態の空調管理システム１０１では、所定時間が経過した後で空調空間情報が再度供給されるように使用者が設定した場合において、所定時間が経過したときに、空調空間の温度・湿度が所定範囲内でない場合は、そのことを使用者に知らせることができる。
【００７０】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００７１】
例えば、上述の第１および第２実施形態では、使用者判定部が、空気調和機の室内機の人検知センサから、空調空間にいる人を検知したことを示す情報が供給された場合に、使用者が空調空間にいると判定する場合について説明したが、これに限定されない。したがって、使用者判定部は、空気調和機の室内機の人検知センサから、空調空間にいる人を検知したことを示す情報が所定時間継続して供給された場合に、使用者が空調空間にいると判定してもよい。
【００７２】
また、上述の第１および第２実施形態では、使用者の操作に対応した運転変更命令に基づく運転では、室内温度や室内湿度が判定図の情報供給ゾーンにある状態が解消されない場合に、このことが表示画面１０に表示されて使用者に報知される場合について説明したが、これに限定されない。したがって、使用者の操作に対応した運転変更命令に基づく運転では、室内温度や室内湿度が判定図の情報供給ゾーンにある状態が解消されない場合に、このことが例えば音声によって使用者に報知されてもよい。
【００７３】
また、上述の第１および第２実施形態では、空調管理システムが、本発明における管理装置に対応する空調管理サーバと、空気調和機と、端末装置とを有する場合について説明したが、本発明における管理装置は、空調空間の温度および湿度の少なくとも一方についての情報を記憶する空調空間情報記憶手段を有するものであれば、空調管理サーバ以外のものであってもよい。
【００７４】
例えば、上述の第１および第２実施形態では、運転設定決定部５４が、空調空間の温度・湿度が情報供給ゾーンにある状態を解消するために、空気調和機２の冷房運転を行った方がよいのか、または、除湿運転を行った方がよいのかを決定する場合について説明したが、その他の運転設定を決定してもよい。したがって、運転設定決定部５４は、運転の種類（冷房運転または除湿運転）だけでなく、その運転における設定温度を決定してもよい。
【００７５】
また、上述の第１および第２実施形態では、室内温度及び室内湿度に基づいて、室内温度及び室内湿度が情報供給ゾーンにある場合に空調空間情報が自動的に供給されるが、室内温度に基づいて、室内温度が情報供給ゾーンにある場合に空調空間情報が自動的に供給されてもよい。この場合、図７に示す判定図を使用する。図７の判定図には、図２と同様に、線Ａより右側の領域は室内温度が２７度以上の領域である情報供給ゾーンが設定される。この場合も、室内温度が情報供給ゾーンにある場合には、空調空間情報が供給される。そして、空調管理システムの動作は、第１および第２実施形態において室内温度及び室内湿度に基づいて行われるのが、室内温度に基づいて行われる点で異なるが、その他は、第１および第２実施形態と同様の方法で行われる。
【００７６】
また、上述の第１および第２実施形態では、室内温度及び室内湿度に基づいて、室内温度及び室内湿度が情報供給ゾーンにある場合に空調空間情報が自動的に供給されるが、室内湿度に基づいて、室内湿度が情報供給ゾーンにある場合に空調空間情報が自動的に供給されてもよい。そして、空調管理システムの動作は、第１および第２実施形態において室内温度及び室内湿度に基づいて行われるのが、室内湿度に基づいて行われる点で異なるが、その他は、第１および第２実施形態と同様の方法で行われる。
【００７７】
また、上述の第１および第２実施形態では、室内機に配置された室内温度センサ及び室内湿度センサで検出された室内温度及び室内湿度に基づいて空調空間情報が供給されるが、その他の空調空間（例えばリモコン）に配置された室内温度センサ及び室内湿度センサで検出された室内温度及び室内湿度に基づいて空調空間情報が供給されてもよい。
【００７８】
また、上述の第１および第２実施形態では、端末装置が、空調空間にある空気調和機に対して運転変更命令を供給できるものであるが、空調空間にある空気調和機に対して運転変更命令を供給できない端末装置であってもよい。
【産業上の利用可能性】
【００７９】
本発明を利用すれば、空調空間の温度・湿度についての情報を供給する必要のない場合に供給されるのを抑制できる。
【符号の説明】
【００８０】
１、１０１  空調管理システム
２  空気調和機
３  空調管理サーバ（管理装置）
４  端末装置
１０  表示画面（報知手段）
２０  人検知センサ（人検知手段）
【図１】
2015014409.tif 000003
【図２】
2015014409.tif 000004
【図３】
2015014409.tif 000005
【図４】
2015014409.tif 000006
【図５】
2015014409.tif 000007
【図６】
2015014409.tif 000008
【図７】
2015014409.tif 000009